(57)【要約】【課題】波状に形成された屋根板の谷部を流下する水を、横樋から飛び出させることなく円滑に横樋に流し込むことができる屋根板、及び、屋根構造を提供することを目的とする。【解決手段】山部及び谷部が略平行に連続して形成された波状の金属の板材からなる屋根板１０は、各谷部を流れる雨水を下端側に設けられた横樋８に流し込むように傾斜して配置されている。そして、屋根板１０の上面の下端側には、各谷部を遮断する向きに直線状の突起２０が夫々２列ずつ突出されており、突起２０が設けられた側の端部が、突起２０が突出された方向と反対側、つまり、下方に湾曲されている。【選択図】図３
2008008043.tif 000002
【特許請求の範囲】
【請求項１】
山部及び谷部が略平行に連続して形成された波状の板材からなり、各谷部を流れる水を下端側に設けられた横樋に流し込むように傾斜して配置される屋根板であって、
当該屋根板の一面側で、且つ、前記各谷部の一端側には、該各谷部を遮断する向きに、直線状の突起が夫々少なくとも１つ突出されており、
該突起が設けられた側の端部は、突起が突出された方向と反対側に湾曲されたことを特徴とする屋根板。
【請求項２】
前記谷部は、
一定の幅に形成された底部と、
底部の両側で山部に繋がる側壁部と、
からなり、
前記直線状の突起は、少なくとも前記底部に形成されたことを特徴とする請求項１に記載の屋根板。
【請求項３】
当該屋根板が、前記湾曲された側の端部を下方にして傾斜して配置された場合において、
前記直線状の突起より下端側の底部の傾斜角度が、前記突起よりも上端側の底部の傾斜角度よりも大きくなるように形成されたことを特徴とする請求項２に記載の屋根板。
【請求項４】
前記直線状の突起は、該突起と直交する方向に分割されており、前記谷部を流れる水の一部が前記突起の間を通過可能にされたこと特徴とする請求項１〜請求項３の何れかに記載の屋根板。
【請求項５】
請求項１〜請求項４の何れかに記載の屋根板と、
略水平に配置され、該屋根板の谷部を流れる水を受ける横樋と、
を備え、
前記屋根板は、前記湾曲された側の端部が、前記横樋の上方にくるように配置されると共に、該屋根板の谷部を流れる水を前記横樋に流し込むように傾斜して配置されたことを特徴とする屋根構造。
【請求項６】
前記屋根板は、湾曲された側の谷部の端面が、前記横樋の幅方向の中心を通る面の近傍にくるように配置されたことを特徴とする請求項５に記載の屋根構造。
【請求項７】
一対の前記屋根板を備え、該屋根板が山状に配置されたことを特徴とする請求項５または請求項６に記載の屋根構造。
【請求項８】
請求項１〜請求項４の何れかに記載の屋根板を一対と、
略水平に配置され、前記各屋根板の谷部を流れる水を受ける横樋と、
備え、
前記一対の屋根板は、夫々湾曲された側の端部が、前記横樋の上方にくるように前記横樋を挟んで配置されると共に、該各屋根板の谷部を流れる水を前記横樋に流し込むように傾斜して配置されたことを特徴とする屋根構造。
【発明の詳細な説明】
【技術分野】
【０００１】
本発明は、屋根の表面を流れてきた雨水が横樋を飛び越えることを防止する屋根板及び屋根構造に関するものである。
【背景技術】
【０００２】
従来より、波状に形成されており、その谷部により効率よく雨水を流下させるようした屋根板が知られている。そして、このような屋根板として、屋根板の山部には、滑り止めの凹凸模様を施し、屋根板の谷部には、谷部に沿った流水模様等を施すことにより、雨水が谷部に円滑に流れるようにしたものが提案されている（例えば、特許文献１等参照）。
【特許文献１】特開平１０−３０３０５号公報
【発明の開示】
【発明が解決しようとする課題】
【０００３】
しかしながら、上記提案のような屋根板においては、雨水を谷部にて円滑に流下させることができるけれども、屋根板が設置される際の傾斜角度、また、雨水の量によっては、谷部を流れる間に雨水の流速が増し、雨水が屋根板の下端側に設置された横樋を越えて飛び出してしまうという問題があった。
【０００４】
また、従来は表面の摩擦係数の高い素材（例えば、スレート材等）からなる屋根板を使用していた駅舎等の建造物において、安全性や耐久性の面から金属材の屋根板で屋根の葺き替えを行うことが検討されているが、例えば、図８に示すように、従来と同様の形状（単純な波状）に形成された金属材の屋根板９０を用いて屋根を葺き替えた場合にも、雨水が横樋８を飛び越えるようになるおそれがある。
【０００５】
つまり、従来と同形状の金属材の屋根板９０を用いて屋根を葺き替えると、金属材の表面の摩擦係数はスレート材と比較して非常に小さいために、従来は、摩擦により抑制されていた雨水の速度が従来よりも増加してしまう一方、屋根板の傾斜角度や横樋との位置関係は従来の屋根と変更することができないために、雨量によっては、図８（ｂ）に示すように、雨水が横樋８を飛び越えてしまうのである。
【０００６】
なお、図８（ａ）は、従来の屋根板と同形状の屋根板９０を配置した際の屋根の下端側の構成を示す拡大断面図であり、図８（ｂ）は、屋根板９０に水を流した場合の水の流れを示す説明図である。
【０００７】
本発明はかかる課題に鑑みなされたもので、波状に形成された屋根板の谷部を流下する水を、横樋から飛び出させることなく円滑に横樋に流し込むことが可能な屋根板、及び、屋根構造を提供することを目的とする。
【課題を解決するための手段】
【０００８】
かかる目的を達成するためになされた請求項１に記載の発明は、
山部及び谷部が略平行に連続して形成された波状の板材からなり、各谷部を流れる水を下端側に設けられた横樋に流し込むように傾斜して配置される屋根板であって、
当該屋根板の一面側で、且つ、前記各谷部の一端側には、該各谷部を遮断する向きに、直線状の突起が夫々少なくとも１つ突出されており、
該突起が設けられた側の端部は、突起が突出された方向と反対側に湾曲されたことを特徴とする。
【０００９】
このように、本発明の屋根板においては、屋根板の一面側の各谷部の一端側に、各谷部を遮断する向きに直線状の突起が夫々少なくとも１つ突出されており、突起が設けられた側の端部が、突起が突出された方向と反対側に湾曲されている。
【００１０】
従って、本発明の屋根板によれば、湾曲された側の端部を下方にして傾斜して配置された際に、谷部を流れる水が屋根板の下端で直線状の突起に衝突して流速が抑えられ、さらに、湾曲された端部により効率よく横樋に導かれるので、屋根板の谷部を流れてきた水が、横樋を飛び越えて飛散することを防止でき、確実に横樋に水を流し込むことができる。
【００１１】
次に、請求項２に記載の発明は、請求項１に記載の屋根板において、谷部が、一定の幅に形成された底部と、底部の両側で山部に繋がる側壁部と、から構成されており、直線状の突起は、少なくとも底部に形成されたことを特徴とする。
【００１２】
従って、請求項２に記載の屋根板によれば、湾曲された側の端部を下方にして傾斜して配置された際に、例えば屋根板が左右方向に傾いている等して、水が、底部と側壁部とに形成される角に沿って流れてきたような場合にも、突起により水を底部全体に分散させ、流速を抑制できるので、水が横樋を飛び越えて飛散することをより確実に防止できる。
【００１３】
次に、請求項３に記載の発明は、請求項２に記載の屋根板において、屋根板が、湾曲された側の端部を下方にして傾斜して配置された場合に、直線状の突起より下端側の底部の傾斜角度が、突起よりも上端側の底部の傾斜角度よりも大きくなるように形成されたことを特徴とする。
【００１４】
従って、請求項３に記載の屋根板によれば、湾曲された側の端部を下方にして傾斜して配置された際に、突起より下端側の底部は上端側の底部よりも傾斜角度が大きくなるので、水が突起に衝突して流速が抑制されると共に、突起の下端側の底部に沿って下方に方向が変えられるので、より確実に横樋に水を流し込むことができる。
【００１５】
次に、請求項４に記載の発明は、請求項１〜請求項３の何れかに記載の屋根板において、直線状の突起が、この突起と直交する方向に分割されており、谷部を流れる水の一部が突起の間を通過可能にされたこと特徴とする。
【００１６】
従って、請求項４に記載の屋根板によれば、湾曲された側の端部を下方にして傾斜して配置された際に、屋根板の表面を流れる水の一部が、突起が分割された部分を流れることができるので、屋根板の上に積もったゴミや砂は水と共に突起を通過することができる。このため、ゴミや砂が突起に引っかかり、屋根板上に堆積することを防止できる。
【００１７】
次に、請求項５に記載の発明は、請求項１〜請求項４の何れかに記載の屋根板と、略水平に配置され、この屋根板の谷部を流れる水を受ける横樋と、を備え、屋根板が、湾曲された側の端部が横樋の上方にくるように配置されると共に、屋根板の谷部を流れる水を横樋に流し込むように傾斜して配置されたことを特徴とする。
【００１８】
従って、請求項５に記載の屋根構造によれば、請求項１〜請求項４の何れかに記載した屋根板を用いて、屋根板を流れる水を確実に横樋に流し込み、屋根板を流れる水が横樋を飛び越えて飛散することを防止できる屋根構造を構成できる。
【００１９】
次に、請求項６に記載の発明は、請求項５に記載の屋根構造において、屋根板は、湾曲された側の谷部の端面が、横樋の幅方向の中心を通る面の近傍にくるように配置されたことを特徴とする。
【００２０】
従って、請求項６に記載の屋根構造によれば、屋根板の下方に湾曲された側、つまり、下端側の底部の端面が、横樋の上方で、且つ、幅方向の中心を通る面の近傍にくるように配置されているので、直線状の突起により流速が抑制された水を、より確実に横樋に流し込むことができる。
【００２１】
次に、請求項７に記載の発明は、請求項５または請求項６に記載の屋根構造において、一対の屋根板を備え、これらの屋根板が山状に配置されたことを特徴とする。
従って、請求項７に記載の屋根構造によれば、山状の屋根において、夫々の屋根板の谷部を流れる水が、横樋を飛び越えて飛散することを防止できる。
【００２２】
次に、請求項８に記載の発明は、請求項１〜請求項４の何れかに記載の屋根板を一対と、略水平に配置され、各屋根板の谷部を流れる水を受ける横樋と、備え、一対の屋根板は、夫々湾曲された側の端部が、横樋の上方にくるように横樋を挟んで配置されると共に、各屋根板の谷部を流れる水を横樋に流し込むように傾斜して配置されたことを特徴とする。
【００２３】
従って、請求項８に記載の屋根構造によれば、請求項１〜請求項４の何れかに記載した屋根板を用いて、屋根板の谷部を流れる水を確実に横樋に流し込み、水が横樋を飛び越えて飛散することを防止できる屋根構造を構成できる。つまり、中央に横樋が設けられ、その両側に屋根板が配置される谷状の屋根において、夫々の屋根板を流れる水が、横樋を飛び越えて飛散することを防止できる。
【発明を実施するための最良の形態】
【００２４】
以下に本発明の実施形態を図面と共に説明する。
［第１実施形態］
本実施形態は、駅のホーム６に設置される駅舎に対し、本発明の屋根板及び屋根構造を適用したものであり、図１は、本実施形態の駅舎１の外観を示す側面図、図２（ａ）は、屋根板１０の下端と横樋８との位置関係を示す拡大断面図（図１のＡ部）、図３（ａ）は、屋根板１０の端部の詳細形状を示す正面図及び上面図、図３（ｂ）は、屋根板１０の端部の詳細形状を示す断面図（図３（ａ）の断面Ｃ）である。
【００２５】
本実施形態の駅舎１は、図１に示すように、一対の屋根板１０が山状に配置された屋根２と、屋根２を下方から支持する支持構造４と、から構成されており、支持構造４の屋根２の夫々の下端付近（つまり、各屋根板１０の下端側の下方）には、横樋８がホーム６の上面と平行に設けられている。
【００２６】
屋根板１０は、図３に示すように、一定の幅に形成された平板状の頂部１２及び頂部１２の両側で下方に傾斜された第１側壁部１８からなる山部と、頂部１２よりも幅広で、頂部１２と平行に一定の幅で形成された平板状の底部１６（１６ａ〜１６ｃ）及び底部１６の両側で上方に傾斜され、山部の第１側壁部１８に繋がる第２側壁部１４からなる谷部とが、略平行に連続して設けられた波状の金属の板材から構成されている。そして、各谷部を流れる雨水を下端側に設けられた横樋８に流し込むように傾斜した状態で支持構造４に支持されている。
【００２７】
また、屋根板１０の下端側には、第１側壁部１８から、第２側壁部１４、底部１６に渡り、各部を流れる雨水を遮断する向きに、断面が半円形の直線状の突起２０（２０ａ，２０ｂ）が平行に２列設けられている。
【００２８】
そして、上端側の第１突起２０ａより下端側の第２底部１６ｂの傾斜角度は、第１突起２０ａよりも上端側の第１底部１６ａの傾斜角度よりも所定の角度Θ１大きく、下端側の第２突起２０ｂより下端側の第３底部１６ｃの傾斜角度は、第２底部１６ｂの傾斜角度よりも角度Θ１大きくなるように形成されており、屋根板１０の下端は、突起２０が突出された方向と反対側、つまり、下方に向けて湾曲されている。
【００２９】
また、各突起２０は、底部１６の上面を流れる雨水の一部が、突起２０の間を通過できるように、突起２０と直交する方向に２つに分割されている。
なお、本実施形態においては、屋根板１０を構成する金属の板材として、耐候性に優れた溶融アルミニウムめっき鋼板（例えば、日新製鋼（株）製のアルスター鋼板）を使用している。そして、山部及び谷部からなる波状の板材の一端側を、所定の角度に折り曲げられた角部に突起２０に対応する突起が設けられた専用のプレス金型を使用してプレス成形することにより、突起２０を１列ずつ形成すると共に、突起２０より端部側の底部１６（例えば、第１突起２０ａより端部側の第２底部１６ｂ）が、突起２０を挟んで反対側の底部１６（例えば、第１突起２０ａを挟んで反対側の第１底部１６ａ）に対して所定の角度Θ１をなすように加工している。
【００３０】
横樋８は、図２（ａ）に示すように、断面が半円形に形成されており、半円の中心線が、屋根板１０の底部１６の下端縁にほぼ重なる位置に、開口側を上方に向けて配置されている。
【００３１】
以上説明したように、本実施形態の駅舎１は、山状に傾斜して配置された一対の屋根板１０と、屋根板１０の下端側の下方に略水平に配置され、この屋根板１０の谷部を流れる雨水を受ける横樋８と、を備えている。そして、各谷部を流れる雨水を下端側に設けられた横樋８に流し込むように傾斜して配置された屋根板１０の上面の下端側に、各谷部を遮断する向きに直線状の突起２０が夫々２列ずつ突出されており、突起２０が設けられた側の端部が、突起２０が突出された方向と反対側、つまり、下方に湾曲されている。
【００３２】
従って、本実施形態の駅舎１によれば、図４（ａ）に示すように、屋根板１０の谷部を流れる雨水が屋根板１０の下端で直線状の突起２０に衝突して流速が抑えられ、さらに、湾曲された端部により効率よく横樋８に導かれるので、屋根板１０の谷部を流れてきた雨水が、図４（ｂ）に示すように、横樋８を飛び越えて飛散することを防止できる。ここで、図４（ａ）は、屋根板１０に水を流した場合の水の流れを示す説明図であり、図４（ｂ）は、プレス成形前の屋根板１０に水を流した場合の水の流れを示す説明図である。
【００３３】
また、屋根板１０の谷部は、一定の幅に形成された底部１６と、底部１６の両側で山部の第１側壁部１８に繋がる第２側壁部１４（本発明の側壁部に相当する）と、から構成されており、直線状の突起２０は、第１側壁部１８から第２側壁部１４、底部１６に渡って形成されているので、例えば屋根板１０が左右方向に傾いている等して、雨水が、底部１６と第２側壁部１４とに形成される角に沿って流れてきたような場合にも、突起２０により雨水を谷部全体に分散させ、流速を抑制できるので、雨水が横樋８を飛び越えて飛散することをより確実に防止できる。
【００３４】
また、屋根板１０は、直線状の突起２０より下端側の底部１６の傾斜角度が、突起２０よりも上端側の底部１６の傾斜角度よりも大きくなるように形成されているので、水が突起２０に衝突して流速が抑制されると共に、突起２０の下端側の底部１６に沿って下方に方向が変えられるので、より確実に横樋８に水を流し込むことができる。
【００３５】
そして、本実施形態の屋根板１０では、突起２０が２列設けられているために、１列目の突起に衝突することにより気泡を含み谷部全体に分散された雨水が、さらに２列目の突起に衝突して流速が減速されるので、雨水を確実に湾曲された端部に沿わせて横樋８に流し込むことができる。
【００３６】
さらに、横樋８が、その半円の中心線が、屋根板１０の底部１６の下端縁にほぼ重なる位置にくるように、開口側を上方に向けて配置されている。換言すると、屋根板１０の下端縁が横樋８の幅方向の中心を通る面の近傍に配置されているので、直線状の突起２０により流速が抑制された雨水を、より確実に横樋８に流し込むことができる。
【００３７】
ところで、本実施形態の駅舎１において、屋根板１０を流れる雨水が横樋８を飛び越えることなく横樋８に流れ込むことを確認するために実験を行った。そして、実験は、全長約３ｍ、山部及び谷部のピッチ幅Ｌ１が約１３０ｍｍ、突起幅Ｌ２（底部１６上）が約１２ｍｍ、突起高さＨ１（底部１６上）が約６ｍｍ、突起の間隔Ｌ３が約３０ｍｍ、突起２０を挟んだ底部のなす角度Θ１が５°に形成された屋根板を、２寸勾配及び４．５寸勾配の屋根を想定した傾きに傾斜させ、屋根板の上端から５００ｍｌの水（集中豪雨を想定した水量）を流し込むことにより行い、この実験において、流し込んだ水が横樋８を飛び越えることなく、全て確実に横樋８に流れ込むことが確認された。
【００３８】
また、本実施形態の屋根板１０では、直線状の突起２０が、この突起２０と直交する方向に分割されており、谷部を流れる雨水の一部が突起２０の間を通過可能にされているので、屋根板１０の上に積もったゴミや砂は雨水と共に突起２０を通過することができる。このため、ゴミや砂が突起２０に引っかかり、屋根板１０上に堆積することを防止できる。
【００３９】
ところで、屋根板に、水量を制御する部材を接着や締結にて取り付けることにより雨水の速度を抑制し、雨水を横樋に流し込むように構成した場合には、製造工程が複雑となり、また、屋根は使用環境も厳しいために、取り付けた部材が外れたり破損するおそれがある。
【００４０】
一方、本実施形態においては、山部及び谷部からなる波状の金属板の一端側をプレス成型された屋根板１０により、雨水を確実に横樋８に流し込むように構成しているので、製造が容易であり、製造コストを抑えることができる。しかも、屋根板１０は、接着部分や締結部分の無い単純な板材であるために耐久性も良好である。
【００４１】
また、特に、屋根板１０は、所定の角度に折り曲げられた角部に突起２０に対応する突起が形成された専用のプレス金型を使用して、プレス成形することにより行っているので、突起２０の形成と下端を湾曲させる加工を簡単な工程で一度に行うことができる。そして、形成する突起２０の数（つまり、プレス成形を行う回数）により、湾曲の程度を調整することができる。
【００４２】
ところで、住宅等の一般的な建造物であれば、雨天時に、傘をさしていない人が横樋の下方にいることは考えにくく、横樋から飛び越えた水が人にかかるといった問題が起こることはまれである。しかしながら、駅のホームで電車に乗ろうとする人は、駅舎の中からそのまま傘をささない状態で電車に乗り込むので、特に、このような駅舎においては、雨水が横樋を越えて飛散すると、電車に乗り込む人に水がかかってしまという問題がある。
【００４３】
そこで、本実施形態の駅舎１によれば、雨水が横樋８から飛び越えることが防止され、確実に横樋８に流れ込むので、電車に乗り込もうとする人に雨水がかかることを防止することができる。
【００４４】
なお、このように構成された本実施形態の屋根板１０によれば、その下端側の構成により、屋根板１０の谷部を流れる雨水が屋根板１０の下端で直線状の突起２０に衝突して流速が抑えられ、さらに、湾曲された端部により効率よく横樋８に導かれるので、単に屋根板のみを葺き替える場合、つまり、支持構造と横樋は従来のものを利用し、従来の屋根板と同じ傾斜角度で屋根板１０を配置する場合においても、屋根板１０の谷部を流れてきた雨水が、横樋８を飛び越えて飛散することを防止できる。
【００４５】
また、屋根板を葺き替える際に、雨水が横樋を飛び越えて飛散することを防止するために、横樋をずらしたり、新しい横樋を設置する場合にはコストがかかるけれども、本実施形態の屋根板１０によれば、支持構造や横樋を取り換えることなく低コストに屋根の葺き替えを実施できる。
【００４６】
なお、第１実施形態においては、横樋８を図２（ａ）に示すように、断面が半円形状の丸樋としたが、樋の形状は様々なものが考えられ、例えば、図２（ｂ）に示す横樋７０のように、屋根板１０の端面と対向する側の側壁が、反対側の側壁よりも高く形成された角樋を用いるようにしてもよい。このようにすれば、より確実に、屋根板１０から流れ出す雨水を飛散させることなく受けることができる。ここで、図２（ｂ）は、屋根板１０の下端側と横樋７０との位置関係を示す拡大断面図である。
［第２実施形態］
本実施形態は、駅のホーム６に設置される駅舎に対し、本発明の屋根板及び屋根構造を適用したものであり、図５（ａ）は、本実施形態の駅舎５の外観を示す側面図、図５（ｂ）は、屋根板５０の下端側と横樋５６との位置関係を示す拡大断面図（図５（ａ）のＢ部）である。
【００４７】
第２実施形態の駅舎５は、図５（ａ）に示すように、一対の屋根板５０が、中央部が低くなるように谷状に配置された屋根５２と、屋根５２を下方から支持する支持構造５４と、から構成されており、断面が略Ｔ字状に構成された支持構造５４のＴ字の水平部分の中央部、つまり、各屋根板５０の下端側の下方には、横樋５６がホーム６の上面と平行に設けられている。
【００４８】
屋根板５０は、第１実施形態の屋根板１０と同形状の波状の金属の板材から構成されており、各谷部を流れる水を下端側に設けられた横樋５６に流し込むように傾斜した状態で支持構造５４に支持されている。
【００４９】
そして、屋根板５０の下端側は、突起２０が形成されると共に下方に湾曲されて屋根板１０と同形状にされており、上端側の端部は、鉛直下方に湾曲されている。
横樋５６は、図５（ｂ）に示すように、断面が矩形に形成された角樋であり、一対の屋根板５０の下端側の下方に、開口側を上方にして配置されている。
【００５０】
以上説明したように、本実施形態の駅舎５は、ホーム６と平行となるように支持構造５４に支持された横樋５６と、一端が横樋５６の上方にくるように横樋５６を挟んで配置されると共に、各屋根板の谷部を流れる水を横樋５６に流し込むように傾斜して配置された一対の屋根板５０と、を備えている。
【００５１】
そして、屋根板５０の上面の下端側に、各谷部を遮断する向きに直線状の突起２０が夫々２列ずつ突出されており、突起２０が設けられた側の端部が、突起２０が突出された方向と反対側、つまり、下方に湾曲されている。
【００５２】
従って、第２実施形態の駅舎５によれば、一対の屋根板５０の谷部を流れる雨水を、屋根板５０の間に配置された１本の横樋５６に流し込むことができ、また、雨水が横樋５６を飛び越えて飛散することを防止できる。なお、屋根板５０の下端側の形状は、第１実施形態の屋根板１０と同じ形状であり、第２実施形態においても、第１実施形態の屋根板１０により得られる効果と同様の効果を得ることができる。
【００５３】
以上、本発明の一実施形態について説明したが、本発明は、種々の形態を採り得ることは言うまでもない。
上記各実施形態では、屋根板の材質を鋼板としたが、鋼板に限ることはなく、アルミニウム等の他の金属材料を用いてもよく、樹脂材料を用いてもよい。
【００５４】
また、上記各実施形態では、本発明の屋根板及び屋根構造を駅舎に適用した例について説明したが、駅舎に限るものではなく、様々な建造物に適用することが可能である。そして、屋根の傾斜角度も、実験を行った２寸勾配、４．５寸勾配に限定されるものではなく、屋根板は、あらゆる角度に傾斜させて配置することができる。
【００５５】
なお、突起の寸法や、突起の上端側及び下端側の底部がなす角度についても、実験に使用した上記の値に限るものではなく、種々の値で成型することができる。そして、上記の寸法と異なる寸法で成型した屋根板においても上述した効果が得られることは言うまでもない。
【００５６】
また、上記各実施形態では、屋根板の下端には、各部を流れる水を遮断する向きに平行に２列に突起２０を設けたが、屋根板の傾斜角度、雨量、素材表面の摩擦係数等の各種条件に基づいて突起の数を適宜変更することで、あらゆる条件下において、確実に雨水を横樋に導くことができる。
【００５７】
例えば、傾斜角度が緩い場合などは、図６に示す屋根板３０のように、突起２０を１列にしてもよく、例えば、短時間の雨量が多いような地域では、図７に示す屋根板４０のように突起２０を３列設けるようにしてもよい。
【００５８】
ここで、上記各実施形態の屋根板においては、プレス成型により、１列ずつ突起２０を形成すると同時に、突起２０より端部側の底部が、突起２０を挟んで反対側の底部に対して所定の角度Θ１をなすように加工しているが、図６及び図７に示す屋根板３０及び屋根板４０の成型にも同じプレス金型を使用している。このため、突起２０が１列形成された屋根板３０の下端側は、突起２０が２列形成された屋根板１０または屋根板５０に比べて湾曲の度合いは小さく、突起２０が３列形成された屋根板４０の下端側は、屋根板１０または屋根板５０に比べてより下方に湾曲される。そこで、横樋と屋根板との位置関係に基づいて、より確実に雨水を横樋に導くことができるように突起の数を選定することもできる。
【００５９】
しかしながら、必ずしも、突起の形成と同時に突起の下端側の底部に傾斜をつける必要はなく、例えば、下端側を湾曲させた後に突起を形成してもよく、突起を形成した後で、下端側を湾曲させてもよい。また、必ずしも同じプレス金型を利用して、複数列の突起を形成する必要はなく、例えば、１列目と２列目の突起を異なるプレス金型にて形成してもよく、一度に複数列の突起を形成してもよい。
【００６０】
なお、図６（ａ）は、屋根板３０の端部の詳細形状を示す正面図及び上面図、図６（ｂ）は、屋根板３０の端部の詳細形状を示す断面図（図６（ａ）の断面Ｄ）であり、図７（ａ）は、屋根板４０の端部の詳細形状を示す正面図及び上面図、図７（ｂ）は、屋根板４０の端部の詳細形状を示す断面図（図７（ａ）の断面Ｅ）である。
【図面の簡単な説明】
【００６１】
【図１】第１実施形態の駅舎１の外観を示す側面図である。
【図２】屋根板１０の下端側と横樋８との位置関係を示す拡大断面図である。
【図３】屋根板１０の端部の詳細形状を示す正面図、上面図、断面図である。
【図４】屋根板１０に水を流した場合の水の流れを示す説明図である。
【図５】第２実施形態の駅舎５の外観を示す側面図である。
【図６】屋根板３０の端部の詳細形状を示す正面図、上面図、断面図である。
【図７】屋根板４０の端部の詳細形状を示す正面図、上面図、断面図である。
【図８】従来の屋根板９０の下端側と横樋８との位置関係を示す拡大断面図である。
【符号の説明】
【００６２】
１…駅舎、２…屋根、４…支持構造、５…駅舎、６…ホーム、８…横樋、１０…屋根板、１２…頂部、１４…第２側壁部、１６…底部、１６ａ…第１底部、１６ｂ…第２底部、１６ｃ…第３底部、１８…第１側壁部、２０…突起、２０ａ…第１突起、２０ｂ…第２突起、３０…屋根板、４０…屋根板、５０…屋根板、５２…屋根、５４…支持構造、５６…横樋、７０…横樋、９０…屋根板
【図１】
2008008043.tif 000003
【図２】
2008008043.tif 000004
【図３】
2008008043.tif 000005
【図４】
2008008043.tif 000006
【図５】
2008008043.tif 000007
【図６】
2008008043.tif 000008
【図７】
2008008043.tif 000009
【図８】
2008008043.tif 000010